(57)【要約】【目的】風俗店舗の経営を第３機関を介した通信回線を利用してデータ通信で結合することで安全で効率的なビジネスを提供することを目的とする。【構成】顧客と風俗店舗を利用料を請求する機能と通信データを保存する機能と表現を規制する機能と表現を演出する機能とその動作方法を備えた各種手段を具備した第３機関に通信回線で接続することで効率的な店舗の経営を実現するバーチャルネット風俗店舗経営システムとその動作方法。【選択図】図１
2007317147.tif 000002
【特許請求の範囲】
【請求項１】
顧客と店舗間で利用客から要求されたサービスをコンピュータ処理して通信回線で相互通信するバーチャルネット風俗店舗経営システムにおいて、アクセスした顧客からの課金情報を前記通信回線で第３機関に設置したコンピュータに転送してデータ処理して課金データを算出し金融機関に転送し前記顧客に利用料を請求する手段と前記顧客およびまたは前記店舗が前記第３機関を法的な機関として承認したときに前記顧客と前記店舗との交信データを前記第３機関に設けられた保存エリアに定められた期間証拠データとして保存する手段とを具備したことを特徴としたシステム。
【請求項２】
顧客と店舗間で利用客から要求されたサービスをコンピュータ処理して通信回線で相互通信するバーチャルネット風俗店舗経営システムにおいて、アクセスした顧客からの課金情報を前記通信回線で第３機関に設置したコンピュータに転送しデータ処理して課金データを算出し金融機関に転送し前記顧客に利用料を請求する手段と前記顧客およびまたは前記店舗およびまたは前記第３機関が予め登録した誹謗中傷表現または用語、猥褻表現または用語およびまたは指定した画像を制限する手段と前記顧客およびまたは前記店舗が前記第３機関を法的な機関として承認したときに前記顧客と前記店舗との交信データを前記第３機関に設けられた保存エリアに定められた期間証拠データとして保存する手段とを具備したことを特徴としたシステム。
【請求項３】
顧客と店舗間で利用客から要求されたサービスをコンピュータ処理して通信回線で相互通信するバーチャルネット風俗店舗経営システムにおいて、アクセスした顧客からの課金情報を前記通信回線で第３機関に設置したコンピュータに転送しデータ処理して課金データを算出し金融機関に転送して前記顧客に利用料を請求する手段１と前記顧客およびまたは前記店舗およびまたは前記第３機関に予め登録した誹謗中傷表現または用語、猥褻表現または用語およびまたは指定した画像を制限する手段と前記第３機関が前記顧客およびまたは前記店舗の室内での参加者の行動をバーチャルに脚色と編集をし前記店舗およびまたは前記顧客に相互通信で表示する手段とを具備することを特徴としたシステム。
【請求項４】
顧客と店舗間で利用客から要求されたサービスをコンピュータ処理して通信回線で相互通信するバーチャルネット風俗店舗経営システムにおいて、顧客からの課金情報を前記通信回線で第３機関に設置したコンピュータに転送しデータ処理して課金データを算出し金融機関に転送し前記顧客に利用料を請求する手段と前記顧客およびまたは前記店舗およびまたは前記第３機関に予め登録した誹謗中傷表現または用語、猥褻表現または用語およびまたは指定した画像を制限する手段と前記第３機関が前記顧客およびまたは前記店舗の室内での参加者の行動をバーチャルに脚色と編集をし前記店舗およびまたは前記顧客に相互通信で表示する手段と前記顧客およびまたは前記店舗が前記第３機関を法的な機関として承認したときに前記顧客と前記店舗との交信データを前記第３機関に設けられた保存エリアに定められた期間証拠データとして保存する手段とを具備したことを特徴としたシステム。
【請求項５】
顧客と店舗間で利用客から要求されたサービスをコンピュータ処理して通信回線で相互通信するバーチャルネット風俗店舗経営システムにおいて、顧客からの課金情報を前記通信回線で第３機関に設置したコンピュータに転送しデータ処理した課金データを金融機関に転送し前記顧客に利用料を請求する手段と前記第３機関が前記顧客およびまたは前記店舗の室内での参加者の行動をバーチャルに脚色と編集をし前記店舗およびまたは前記顧客に相互通信で表示する手段と前記顧客およびまたは前記店舗が前記第３機関を法的な機関として承認したときに前記第３機関に前記顧客と前記店舗との交信データを前記第３機関に設けられた保存エリアに定められた期間証拠データとして保存する手段とを具備したことを特徴としたシステム。
【請求項６】
顧客と店舗間で利用客から要求されたサービスを利用料として請求する手段１と通信データを保存する手段３によりコンピュータ処理して通信回線で相互通信するバーチャルネット風俗店舗経営システムの動作方法において前記手段１がアクセスした顧客からの課金情報を前記通信回線で前記第３機関に設置したコンピュータに転送してデータ処理して課金データを算出し金融機関に転送し前記顧客に利用料を請求するステップと前記手段２が前記顧客およびまたは前記店舗が前記第３機関を法的な機関として承認したときに前記第３機関に設けられた保存エリアに前記顧客と前記店舗との交信データを定められた期間証拠データとして保存するステップを実行するシステムの動作方法
【請求項７】
顧客と店舗間で利用客から要求されたサービスを利用料として請求する手段１と通信データを保存する手段３と用語、表現、画像を制限する手段４とによりコンピュータ処理して通信回線で相互通信するバーチャルネット風俗店舗経営システムの動作方法において前記手段１がアクセスした顧客からの課金情報を前記通信回線で第３機関に設置したコンピュータに転送しデータ処理して課金データを算出し金融機関に転送し前記顧客に利用料を請求するステップと前記手段４が前記顧客およびまたは前記店舗およびまたは前記第３機関に予め登録した誹謗中傷表現または用語、猥褻表現または用語およびまたは指定した画像を制限するステップと前記手段３が前記顧客およびまたは前記店舗が前記第３機関を法的な機関として承認したときに前記第３機関に設けられた保存エリアに前記顧客と前記店舗との交信データを定められた期間証拠データとして保存するステップを実行するシステムの動作方法。
【請求項８】
顧客と店舗間で利用客から要求されたサービスを利用料として請求する手段１と参加者の行動を表示する手段５とによりコンピュータ処理して通信回線で相互通信するバーチャルネット風俗店舗経営システムの動作方法において前記手段１が顧客からの課金情報を前記通信回線で第３機関に設置したコンピュータに転送してデータ処理した課金データを算出し金融機関に転送して前記顧客に利用料を請求するステップと前記手段５が前記第３機関が前記顧客およびまたは前記店舗の室内での参加者の行動をバーチャルに脚色と編集をし前記店舗およびまたは前記顧客に相互通信で表示するステップを実行するシステムの動作方法
【請求項９】
顧客と店舗間で利用客から要求されたサービスを利用料として請求する手段１と用語、表現、画像を制限する手段４と参加者の行動を表示する手段５とによりコンピュータ処理して通信回線で相互通信するバーチャルネット風俗店舗経営システムの動作方法において前記手段１がアクセスした顧客からの課金情報を前記通信回線で第３機関に設置したコンピュータに転送しデータ処理して課金データを算出し金融機関に転送して前記顧客に利用料を請求するステップと前記手段４が前記顧客およびまたは前記店舗およびまたは前記第３機関に予め登録した誹謗中傷表現または用語、猥褻表現または用語およびまたは指定した画像を制限するステップと前記手段５が前記第３機関が前記顧客およびまたは前記店舗の室内での参加者の行動をバーチャルに脚色と編集をし前記店舗およびまたは前記顧客に相互通信で表示するステップを実行するシステムの動作方法
【請求項１０】
顧客と店舗間で利用客から要求されたサービスを利用料として請求する手段１と用語、表現、画像を制限する手段４と参加者の行動を表示する手段５と通信データを保存する手段３によりコンピュータ処理して通信回線で相互通信するバーチャルネット風俗店舗経営システムの動作方法において前記手段１が顧客からの課金情報を前記通信回線で第３機関に設置したコンピュータに転送しデータ処理して課金データを算出し金融機関に転送し前記顧客に利用料を請求するステップと前記手段４が前記顧客およびまたは前記店舗およびまたは前記第３機関に予め登録した誹謗中傷表現または用語、猥褻表現または用語およびまたは指定した画像を制限するステップと前記手段５前記第３機関が前記顧客およびまたは前記店舗の室内での参加者の行動をバーチャルに脚色と編集をし前記店舗およびまたは前記顧客に相互通信で表示するステップと前記手段３が前記顧客およびまたは前記店舗が前記第３機関を法的な機関として承認したときに前記第３機関に設けられた保存エリアに前記顧客と前記店舗との交信データを定められた期間証拠データとして保存するステップを実行するシステムの動作方法
【請求項１１】
顧客と店舗間で利用客から要求されたサービスを利用料として請求する手段１と参加者の行動を表示する手段５と通信データを保存する手段３とをコンピュータ処理して通信回線で相互通信するバーチャルネット風俗店舗経営システムの動作方法において前記手段１が顧客からの課金情報を前記通信回線で第３機関に設置したコンピュータに転送しデータ処理した課金データを金融機関に転送し前記顧客に利用料を請求するステップと前記手段５が前記第３機関が前記顧客およびまたは前記店舗の室内での参加者の行動をバーチャルに脚色と編集をし前記店舗およびまたは前記顧客に相互通信で表示するステップと前記手段３が前記顧客およびまたは前記店舗が前記第３機関を法的な機関として承認したときに前記第３機関に設けられた保存エリアに前記顧客と前記店舗との交信データを証拠データとして保存するステップを実行するシステムの動作方法
【発明の詳細な説明】
【発明の詳細な説明】
【産業上の利用分野】
【０００１】この発明は各種風俗店舗の営業業務を通信回線の接続でバーチャルに実現するバーチャルネット風俗店舗経営システムとその動作方法に関する。
【背景技術】
【０００２】  近年、遠隔地（郊外、僻地、海外）に配属、転勤する会社員、社会人、学生が急増しているが遠隔の赴任地では風俗店の質に地域格差があり都会と同じサービスを受けられない問題がある。
地域格差は住んでいる住民の不満を増大させこれが人々の都会への憧れとなり住民の流出を促し地域をいっそう過疎化させ経済混乱を招いている。また従業員においては就業地が大都会に集約されるので通勤が不便である。インターネットの普及に伴うサービスへの課税問題ではビジネスを一括して把握できる組織が存在しないのでアングラマネー、マネーロンダリー等各種犯罪を発生する温床となり国境を超えた社会問題になっている。
【発明が解決しようとする課題】
【０００３】  この発明は上記の問題を解決するためになされたもので顧客、店舗間を各種サービスを提供する第３機関をかいして通信回線でデータを中継することにより安価で良質で安全（防犯上）なバーチャルネット風俗店舗経営システムとその動作方法を提供することにある。
【課題を解決するための手段】
【０００４】  この発明のこの発明のバーチャルネット風俗店舗経営システムとその動作方法は各種の情報通信網と第３機関を利用し社会問題、地域による風俗のサービス格差、課税に関する諸問題を解決できる特徴がある。さらに多くの従業員がホスト、ホステスとして雇用されしかも彼らの自由な時間にいかなる場所からでも就業が可能でビシネスチャンスの裾野が広い。一方、顧客は安全な場所から上記店舗にアクセスできるで、従来風俗店舗にありがちな肉体的な暴力（バイオレンス）や精神的なバイオレンスも予防できる。店舗の経営、運営においては内装工事をコンピュータでバーチャルに画像構築するので少エネルギーで店舗の開店費用が安く、ビジネスタイミングの早い利点がある。
【実施例】
【０００５】  本発明を実施例により詳細に説明する。
この発明のバーチャルネット風俗店舗経営システムの実施例について説明する。この実施例では風俗店舗としてパブ、ナイトクラブ、スナック、特殊風俗店舗を例に説明するがこのシステムは通常の飲食店舗でも適用できる。この発明のバーチャルネット風俗店舗経営システム（以下、単にシステムと言う）では、顧客はインターネット、ブロードバンド、電話回線、ＬＡＮ、ＷＡＮ、光通信回線、衛星通信各種専用通信回線等の通信回線網を使用して顧客の所在地、例えば職場、自宅、病院等治療施設、各種公共施設、店舗から風俗店舗（以下、単に店舗と言う）にアクセスしてあたかもその店舗に行った状況（場所、国内、国外）で各種の風俗に関する高品質なサービス、接待を受けることができる特徴がある。この発明のシステムではセキュリティに関して顧客は安全な場所から上記店舗にアクセスできるで、従来風俗店舗にありがちな肉体的な暴力（バイオレンス）を受けることがない。また精神的なバイオレンスにおいても予め登録した誹謗中傷表現または用語、猥褻表現または用語を制限する手段を動作させることで予防できる。店舗、従業員、顧客の管理においては第３機関がその蓄積された技術力を使用して経営、運営、システム構築、コンサルティング、集金をする。店舗、顧客の室内の内装レアウトはコンピュータでバーチャルに画像構築するので少資源の日本に適し、経営者、出資者の店舗の開店費用が安い特徴がある。
ここでこのシステムの主要素である第３機関について詳しく説明する。この機関の運営は店舗の共同経営もしくは第３者の機関例えば公的機関、ＮＧＯ、財団、法人、公団、企業が行ってもよい。課金データ処理を上記機関の独立会社とすれば課税管理も明瞭である。
第３機関（以下、単に機関と言う）は顧客に利用料を請求する手段と、通信データを保存する手段と、表現、用語、画像を制限する手段と、参加者およびその室内の形態を演出（脚色、編集）する手段で構成しており以下これら機能を具体的に述べる。
利用料を請求する手段（または請求手段）
このシステムを利用した顧客への料金については上記機関に設置したコンピュータを利用し顧客の来店で発生した課金データを経理処理し金融機関、各種クレジット会社に請求する。店舗は直接顧客と交渉しないので支払いトラブルが少ない。また集金は課金デーダに基ずいて店舗が経理処理して顧客に請求してもよい。第３機関は上記演出を含む各手段のサービス料を顧客およびまたは店舗から徴収する。サービス料は定額制にしたりあらかじめ顧客の料金に乗せておいてもよい。また、店舗が利用した機関のサービス料、従業員への給料の支払いもこの請求する手段が行うようにしてもよい。
表現、用語を制限する手段（または制限手段）
顧客およびまたは店舗およびまたは機関等の利用者は自分の端末から上記サービスを受ける前に自分の受けたくない言葉、しぐさ、つまり前記バイオレンス
のレベル、表現およびまたは用語をあらかじめ設定できる。この設定は各顧客、店舗、システム利用者、機関のコンピュータにストアされて顧客が店舗に入店て営業を開始した時、制限手段で解析される。
ここで使用されるコンピュータは上記バイオレンスを自動的、電子的にコンピュータがリアルタイムで判断し音声、画像の規制をしたり警告音、メッセージで顧客、店舗に警告する。この制限手段のソフトは顧客、店舗、従業員のコンピュータに機関よりデータ通信で伝送してインストールするようにしてもよい。従来、暴力は店舗、顧客の良識、道徳観にまかせていたため判断基準があいまいだったがこの発明のシステムでは第３者による中立な判断が実現される。
データを保存する手段（または保存手段）
顧客およびまたは店舗およびまたは前記第３機関の承認により顧客と店舗の従業員、来店客とのやりとりを法的効力を有した通信データとして記録する。この通信データの保存の選択は顧客の判断で設定される。前記記録は一定期間機関に保存しその後廃棄されるようにしてもよい。記録データは顧客と店舗、従業員、店舗の来店客の小競り合い、酒の酔いでの紛争処理に使用でき裁判の公判に利用できる。
状況を演出する表示する手段（または表示手段）
顧客およびまたは店舗、従業員の様子は各人の部屋に備えたＣＣＤ、ＣＭＯＳ等モニタカメラ、ムービーカメラ、サーモモニタ等で撮影され音声は端末に接続されたマイクで集音され、スピーカで発音される。利用者は機関から伝送された画像をＬＣＤ、プラズマ、ＣＲＴ等のモニタ画面で、音声をスピーカ、ヘッドホン等の音響装置で再生しながらこの発明のシステムを利用する。表示画像は顧客の希望で自分のモニタだけか店舗のモニタにも自分の姿を表示するか選択できる。そこで肉体的、精神的なハンディキャップをもった障害者でも障害部分を他人に知られる心配なくシステムを利用できる。ここでいう画像とは顧客、従業員、
来店客など利用者の服装、身体的特徴、顧客、店舗、従業員の部屋の内装、照明などの画像データを顧客や店舗の希望でコンピュータでデジタル処理して演出をコーディネートすることをいう。音声については上記利用者の会話時の声の調子、音程や店舗内、顧客の部屋のバックミュージック、カラオケ、店内の音を顧客や店舗の希望で脚色してコンピュータでデジタル処理してコーディネートする。さらに利用者の会話をコンピュータで自動翻訳したり翻訳オペレータによる翻訳サービスや音声をモニタ画面上にテロップで文字として表示するようにしてもよい。これらの画像および音声のデジタル処理は一般に表示手段が担当し複雑なデータ処理をより高度なデータ加工機能を有したコンピュータで構成されたスタジオ手段が担当するようにしてもよい。このスタジオ手段は表示手段が担当するようにしてもよい。
なお、スタジオ手段に実際の室内、室外のスタジオ設備を敷設しこのスタジオで収録された画像データ、録音を状況をストアしておき演出データとして利用できるようにしてもよい。
つまり顧客の部屋、店舗内の雰囲気は顧客、店舗の要求で機関の表示手段、スタジオ手段が自在に設定できる。画像、音声処理は機関でデジタル合成されるため従業員は遠隔地から就業することができ通勤コストが掛からない。また、画像と音声をその個人でなくコンピュータでバーチャルに合成してもよい。従来これらの演出、コラージュ、貼り付け等の技法は高度な機能の機材、ソフト、コンピュータが必要であったがこのシステムでは機関がそれを代行するため店舗、顧客は自分で設備、ソフトウエアを用意することなく経済的である。さらにバイブレータなど電動器具を場面にあったタイミングで駆動するソフトを使いこれら電動器具を顧客の端末に接続して人体に感覚刺激与えるようにしてもよい。
さらに翻訳機能を付与して海外の店舗、従業員と会話できるようにしてもよい。
顧客、店舗に案内情報を付与するコントロール手段
各店舗の利用方法等の案内情報と機器のテスト機能を検査するデータと各店舗の営業に必要なソフトウエアを管理しこのデータはアップデートで逐次更新される。さらに店舗、顧客からの食料（酒、つまみ、料理等）や物品（事務用品等）の調達を関係店に発注、精算する機能、各種広告を表示する機能を持たせてもよい。このコントロール手段は前記店舗または機関のコンピュータの他の手段に組み込んでおいてもよい。
前記各手段はソフトで一括して機関の端末コンピュータでデータ処理できるようにしてもよい。前記手段の機能の選択については顧客のコンピュータにデータ保存しておき顧客がこの発明のシステムにアクセスする毎に設定を再度利用できるようにプログラムしてもよい。このようにこの発明のシステムでは機関と呼ばれる中間処理部門が法務、スタジオ機能等各種のデータ処理をコンピュータでデジタル的に処理することにより各店舗、顧客は回線の利用時に特別のインターフェイス、ソフトウエアを必要とせずに安全で安価なサービスを受けることができる。顧客、店舗間の交信データは個人のコンピュータにダウンロードして教育データとしてさらに記録アルバムのようして使用できるようにしてもよい。前記サービスに広告、宣伝を付与し店舗、顧客から広告収入を得られるようにしてもよい。
つぎにこの発明のシステムの詳細を述べる。
このシステムでは下記のような手順で顧客はサービスを受ける。
１．システムへのアクセス
２．承認事項の承認
３．サービス形態の設定
４．店舗の選択（店舗選び）
５．承認
６．入店
７．支払い
８．請求
上記手順は機関のプログラムで変更できるようにしてもよい。
１．システムへのアクセス
この発明のシステムの利用にあたりアクセスデータは新聞、雑誌等各種広告媒体、インターネット、友人、知人の紹介やブロードバンド、インターネットのＵＲＯ、ＨＰより選択する。
２．承認事項の承認
店舗利用時の注意書き、特務事項、システムコースの設定、会員、非会員の選択をする。また広告アンケートに答えてお試しコースを使用できるようにしてもよい。
３．サービス形態の設定
顧客の受けたいサービス（前記各手段の機能）の入力、所有機材（モニタカメラ、マイク、パスコン、ＴＶモニター）の性能テスト。
４．店舗の選択（店選び）
顧客の好みの店舗の選択と各種初期設定をする。
５．各種取り決め事項の承認
電子的な承認
６．入店
機関の各機能が動作、接客業務の開始をする。各設定値の変更が可能。
７．支払い
清算、サービス終了、帰店
８．請求
金融機関からの請求業務、クレジットカード、ポイントカード、利用ポイント加算
ここで、この発明のバーチャルネット風俗店舗経営システムを実現するシステムとその動作方法例を第１図の営業に必要なシステム図と第２図のこのシステムの動作方法のフローチャート図を使用して説明する。
第１図においてこの発明のシステムでは顧客、店舗、従業員、第３機関に置かれた各システムを実現する装置がブロードバンド等通信回線ＴＣを介し互いに相互に接続されている。
顧客ＰＲ（顧客Ｐ３）のシステム３０にはパスコン等の端末３１にデイスプレイモニタ３２、スピーカ３３、マイク３４、画像モニタのビデオカメラ３５が接続される。デイスプレイモニタ３２、スピーカ３３にはＬＣＤ，ＣＲＴ，プラズマＴＶなど市販の大画面モニタ３６のＡＶ端子に接続できるようにしてもよい。
店舗ＳＴ（店舗客および従業員Ｐ１、Ｐ２）のシステム１０にはパスコン等の端末１１にモニタ１２、スピーカ１３、マイク１４、カメラ１５、さらに大画面モニタ１６が接続される。この端末１１には店舗での営業に必要なソフトウエアもインストールされている。従業員ＨＴ（従業員Ｐ４）のシステム２０には端末２１にモニタ２２、スピーカ２３、マイク２４、カメラ２５が接続される。システム２０は店舗内およびまたは機関内およびまたは従業員の所在地に敷設してもよい。機関のシステム５０（オペレータＯＰ）にはパスコン等の端末５１を介しコンピータシステム５２で構成された請求手段５３、表示手段５４、制限手段５５、保存手段５６、コントロール手段５７がありこのシステム５２にはさらに大容量の記録メモリ手段５９、スタジオ手段５８が接続される。上記記録メモリ手段５９、スタジオ手段５８は端末５１およびまたはコンピータシステム５２内にホストコンピュターを設けてここに構築してもよい。
ここにおいてこのシステムの動作を第１図および第２図（１）、（２）、（３）を参照して説明する。
顧客Ｐ３は自分のシステム３０の端末３１よりインターネットなどのＨＰ等を見てここからこの発明のシステムにアクセスする。ここにおいて顧客は通信回線の存在しているところであれば、例えば勤務先、自宅、各種店舗、公共場所等どこからでもこのシステムを利用できる。顧客Ｐ３のシステム３０に機関のシステム５０のコンピュータシステム５２より端末５１を介しこの発明のシステムの紹介、プロフィ−ル、店舗の情報等のインフォメーションデータが送信される（ステップ１）。システム３０で受信された上記データが端末３１で解析されモニタ３２およびまたはスピーカ３３で顧客Ｐ３に伝達される（ステップ２）。
このときの各種インフォメーションまたは店舗の情報は店舗のシステム１０の端末１１から伝達されるようにシステム５０の端末５１又はコンピュータシステム５２に予めプログラムしてもよい。次にこのシステムの利用時の表現方法つまり、どのようにして顧客Ｐ３にインフォメーションを伝達するかを音声およびまたは映像の組み合わせのプロセスで選択する（ステップ３，４）。顧客Ｐ３が了承すればつぎのステップ７にすすみ了承しなければステップ５に進む。以下これらのデータ通信はシステム５０をのプログラムデータにより行われる。ここで画像をみながらこのシステムを利用するかまたは電話のように音声のみで利用するかを決定する。次に、顧客Ｐ３は顧客の所有する送受信機の性能検査をするためスピーカ３３、マイク３４、カメラ３５等の機器を端末３１に接続するとシステム３０とシステム５０との間でデータ通信がされ上記器機がコンピータシステム５２のコントロール手段５７でテストされ使用にあたり性能に支障があればたとえば‘交換をお願いします‘等の表示がシステム３０のモニタ３２に表示されるので顧客Ｐ３は上記機器の交換をしテストを繰り返し（ＹＥＳ、ＮＯ）支障がなければテストが完了する（ステップ５，６）。
この検査は以降のこのシステムの信用性を高めるためとシステム利用に伴うトラブルを予防するため（顧客へのシステム履行義務）のため行う。
次に各店舗での営業に必要な営業用ソフトウエアを選択するとこのソフトウエアがコンピータシステム５２から端末３１へダウンロードされる（ステップ７，８）。このシステムの基本機能（一般の営業サービス）のみを使用するときはステップ７に戻り上記ソフトのダウンロードは省略する。次に上記ＨＰから顧客Ｐ３の所望の店舗ＳＴの選択をする（ステップ９，１０）。ここで店舗ＳＴが混んでいるときはモニタ３２に‘満員‘等が表示されのでステップ９に戻り他の店舗ＳＴを選択するか客待ちを選択して待機する（ステップ１１，１２）。この間顧客は自分の端末３１で他の仕事、サイト確認をすることができる。ここで既にこの店舗ＳＴおよびまたはこの発明のシステムの会員であれば（ステップ１３、１４）自分のＩＤ番号を入力すると（ステップ１５，１６）この店舗の入店となり店舗のモニタ１２に顧客の入店の表示がされる。また会員に登録したければステップ１５で会員登録をおこなう。つぎに、顧客はこのステップ１７でシステムに必要な各種設定をする。
店舗客および従業員Ｐ１、Ｐ２と酒の席での小競り合いなどのトラブルの処理がいやならデータを保存する手段を選択すると（ステップ１７，１８）これから入力する設定が完了した後、行程１が作動し（ステップ１９）、システム５０の保存手段５６およびまたは記録メモリ手段６０に店舗内での利用者の行動データが記録される。このデータの保存の設定は店舗ＳＴからも選択できるするようにしてトラブル客排除対策に利用してもよい。このデータは前記機関に顧客と店舗の従業員、来店客とのやりとりを法的効力を有したデータとして記録してこの記録データをもとに顧客と店舗、来店客の小競り合い、酒の酔いでの紛争処理や裁判の裁定に利用する。
つぎに顧客が上記バイオレンスのレベルつまり表現の規制、用語、画像の限定設定したければ表現、用語の制限の選択をすると（ステップ２０，２１）前記設定が完了した後、工程２が作動し制限手段５５が動作する（ステップ２２）。ここでは顧客ー第３機関ー店舗までの通信伝達の時間差を利用し制限手段５５が電子的に音声分析して言語判断し音声、画像の規制をしたり警告音（ビープ音、音声除去）や文字メッセージで参加者Ｐ１，２，３、４にバイオレンスの警告をする。この分析判断はシステム５０のオペレータＯＰが実施してもよい。
従来暴力は店舗、顧客の良識、道徳観にまかせていたため判断基準があいいだったがこの発明のシステムでは機関がレベルの判断をするので中立性が高い。
つぎに状況を演出する手段を選択したければ表示の選択をすると（ステップ２３，２４）上記設定が完了した後、行程３が作動し表示手段５４、スタジオ手段５８が動作する（ステップ２５）。
このステップ２３では顧客はモニタ上で各種の表現方法の設定を選択する。これは顧客Ｐ３、店舗客Ｐ１，Ｐ２、従業員Ｐ４および店舗内の様子のデコレーションをすることをいう。顧客Ｐ３および店舗ＳＴの様子が部屋に備えたＣＣＤ、ＣＭＯＳ等のテレビカメラ、ムービーカメラ、サーモモニタ等１５，３５で撮影され音声はマイク１４，３４で集音されシステム５０にデータ通信される。ステップ２５の画像処理について説明すると前記設定により上記顧客、店員、来店客などの利用者の服装、身体的特徴や顧客、店舗の部屋の内装、照明がコーディネトされデジタル処理され画像で表現される。音声処理については上記利用者の会話時の声の調子、音程や店舗内、顧客の部屋のバックミュージック、カラオケ、店内の音が顧客の希望でデコレーションされデジタル処理されスピーカ３３で再生される。前記デコレーションは表示手段５５とスタジオ手段５８が担当するがこの設定は店舗ＳＴのシステム１０の端末１１からでも設定できる。なお、簡単な店舗のデコレーションについては端末１１でデータ処理してもよい。つまり顧客の部屋、店舗内のムード、雰囲気は顧客Ｐ３、店舗ＳＴの設定で自在に表現できる。
画像、音声処理はシステム５０でデジタル合成するが当人でなくコンピュータで顧客の希望の人物を擬人的にデジタル合成してもよい。
さらに、コントロール手段５７の機能を利用して食品、酒屋とその他、マッサージ、デリヘル等サービス会社にその状況にあった食材、サービスを注文してもよい。すべての設定が完了しその表示が顧客のディスプレイ３２に表示されるので（ステップ２６）顧客が電子的に承諾すると（ステップ２７、２８）このシステムが総合で動作する（ステップ２９）。承認しなければステップ３４に進みシステムが終了する。ここで再度ステップ９に戻り店舗の選択をし直してもよい（ステップ３０）。再度店舗の選択を行うこのときは前記設定は再利用できる。すべての事項を承認してスタートを選択すると（ステップ３３，３４）システム５０のタイマが起動し店舗利用の課金が始まる。接待の途中で他の店舗に再度入店をしたければステップ９へ戻り上記手順で享遊できる（ステップ３５）。顧客が支払いを選択するとタイマが終了し（ステップ３３，３４）今までの利用料金が表示され後日金融機関からこの金額が請求される。
ここにおいて、料金未払いの場合は顧客のデータはブラックリストに保存され以後このシステムの利用時に配慮するようにプログラムしてもよい。また、料金はあらかじめ前払するようにシステムを構築しておいてもよい。
次にこの発明のシステムの会員ではない場合の顧客の入店方法について説明する。ここでは顧客は前記ステップ１からステップ前記ステップ１３までを上記会員の場合と同じプロセスで入力をする。ステップ１４において前記ステップ１３で例えば‘会員ですか？‘と表示されるので非会員またはおためしコースを選択すると（ステップ５０）、ＩＤ番号入力が省略され上記ステップ１７−３０と同様なステップが進行する（ステップ５１−６８）。だだしここでは顧客は無料でこのシステムを使用できるが使用できる機能（行程１−１から３−１）は正規の会員が受けるものではなく限定された機能およびまたは限定された時間のみの使用となる。
以上がこのシステムの概略であるが上記機能の利用にあたっては例えば端末３１、５１、２１、コンピュータシステム５２に音声認識機能のソフトをインストールしておき顧客、従業員が音声で各種選択できるようにしてもよい。
また顧客のシステムとして携帯電話、衛星通信機等他の通信機器を使用して無線通信でデータ通信をできるようにしてもよい。
ここでは単数のシステム例を例に説明したがこの発明のシステムは複数のシステムが存在していても適用できる。この発明のバーチャルネット風俗店舗経営システムでは顧客は仕事場、自宅、スナック、クラブ等風俗店舗、各種飲食業の店舗に設けられたコンピュータ、各種通信機器の端末から各種通信回線を利用してアクセスし風俗店舗の業務を受けることができる。
またシステムの販促用のお試しコースも用意すると限定された機能で無料でシステムを使用できる。各店舗にはテレビカメラ、モニタが設置してあり顧客は顧客は上記モニタで店内の画像を見学しながら対面形式で店員、店舗客と交際できる。自宅の大型画面に接続すればより大画面な享遊ができる。
従業員は第３機関を介して店舗と接続できるのでカメラ、マイクがあれば自宅で在宅で店に出勤できる。さらに店舗、第３機関を介した顧客同士の通信も可能である。システム利用で発生するトラブル、店内での紛争は当システムの機関が担当する。そこで酒の席で発生するトラフルを解決できるとともに国際化でおこるコミュニケーションも解決できる。
【発明の効果】
【０００６】  本発明のバーチャルネット風俗店舗経営システムとその動作方法によれば顧客は自分の所在地から各種風俗店舗にアクセスして自由な時間に享遊できしかも安全で交通時間、費用が節約できる。風俗店舗においては設備投資コストが安く利用料金の回収が容易である。従業員は自分の好きな時間に就業できニュービシネスのチャンスが広がる利点がある。
【図面の簡単な説明】
【０００７】
【図１】システム図
【図２】（１）、（２）、（３）  フローチャート図
【符号の説明】
【０００８】システム１０、２０、３０、５０  端末１１、２１、３１、５１  モニタ１２，１６，２２，３２、３６  スピーカ１３，２３，３３  マイク１４，２４，３４  ビデオカメラ１５，２５，３５  通信回線ＴＣ  請求手段５３  表示手段５４  制限手段５５  保存手段５６、コントロール手段５７  スタジオ手段５８  記録メモリ手段５９  従業員Ｐ４  店舗客Ｐ１、Ｐ２  顧客Ｐ３  オペレータＯＰ
【図１】
2007317147.tif 000003
【図２】
2007317147.tif 000004
2007317147.tif 000005
2007317147.tif 000006
【手続補正書】
【提出日】平成18年7月26日(2006.7.26)
【手続補正１】
【補正対象書類名】明細書
【補正対象項目名】０００７
【補正方法】変更
【補正の内容】
【０００７】
【図１】この発明のバーチャルネット風俗店舗経営システムのシステム図。
【図２】この発明のバーチャルネット風俗店舗経営システムのステップ１−１４のフローチャート図
【図３】この発明のバーチャルネット風俗店舗経営システムのステップ１５−６１のフローチャート図
【図４】この発明のバーチャルネット風俗店舗経営システムのステップ２８−６８のフローチャート図
【手続補正２】
【補正対象書類名】図面
【補正対象項目名】全図
【補正方法】変更
【補正の内容】
【図１】
2007317147.tif 000007
【図２】
2007317147.tif 000008
【図３】
2007317147.tif 000009
【図４】
2007317147.tif 000010